(57)【特許請求の範囲】
【請求項１】
側壁の一部に開口部を有し内底面に複数の固定接点を植設した上面開放の箱形のケースと、このケース内に摺動可能に収納され上面にロッド収納部を有する摺動体と、この摺動体の摺動方向と直交する押圧方向に押圧可能にロッド収納部に収納され、一端に上記ケースの開口部から突出する操作部を他端にばね押圧部を有するロッドと、上記摺動体またはロッドの少なくとも一方の下面に装着され上記固定接点と接離する弾性金属薄板製の接触片と、上記摺動体に設けたばね挿入部に摺動方向にやや撓んだ状態で挿入され、両端がケースまたはカバーに設けた左右のリブにも各々同時に当接したスライド操作用のばねと、一端がロッドのばね押圧部に他端が摺動体のロッド収納部の内側壁に押圧方向にやや撓んだ状態で装着されたプッシュ操作用のばねと、ケースの上面を覆うカバーからなり、上記ロッドの上面または下面に突部を設けると共に、上記ロッドを押圧した際にこの突部が挿入される切欠き部を上記カバーまたはケースの所定の位置に設けたプッシュ機構付スライドスイッチ。
【請求項２】
ケース内底面に摺動体の摺動方向と平行に複数の第１の固定接点と第２の固定接点を植設すると共に、摺動体の下面に第１の固定接点と接離する第１の接触片を、ロッドの下面に第２の固定接点と接離する第２の接触片を装着し、スライド操作用のばねを摺動体の下面に設けたばね挿入部に挿入すると共に両端をケースのリブにも同時に当接させた請求項１記載のプッシュ機構付スライドスイッチ。
【請求項３】
ケース内底面の開口部側に摺動体の摺動方向と平行に第１の固定接点を植設すると共に、ケース内底面の中央部に第２の固定接点を植設し、上記第１の固定接点上方のロッド下面に接触片を装着した請求項１記載のプッシュ機構付スライドスイッチ。
【発明の詳細な説明】
【０００１】
【発明の属する技術分野】
本発明は、各種電子機器に使用されるプッシュ機構付スライドスイッチに関するものである。
【０００２】
【従来の技術】
プッシュ機構付スライドスイッチは、図９の外観斜視図に示すように、箱形のケース１の一方の側壁から突出した操作部５Ａを中央位置から左右方向へ摺動させるスライド操作に加え、このスライド方向と直交するプッシュ方向にも操作可能なように構成されたスイッチであり、スライド操作及びプッシュ操作によって各々のスイッチ接点の電気的接離を行うと共に、各方向へ操作した後に操作部５Ａに加えた操作力を除くと、元の中央位置に自動復帰する機構を備えた多方向操作形のスイッチである。
【０００３】
従来のこの種のプッシュ機構付スライドスイッチについて、図１０〜図１２を用いて説明する。
【０００４】
図１０は従来のプッシュ機構付スライドスイッチのカバーを除いた平面図、図１１は同分解斜視図であり、同図において、１は側壁の一部に開口部１Ａを有し、内底面の中央部に第１の固定接点２Ａ，２Ｂ，２Ｃを、開口部１Ａ側に第２の固定接点３Ａ，３Ｂを各々開口部１Ａと平行に植設した上面開放の箱形のケース、４はケース１内に摺動可能に収納され、上面にロッド収納部４Ａを有する摺動体であり、ケース１の内側壁には左右の凹部１Ｂと１Ｃが、内底面には突起部１Ｄと１Ｅが設けられ、摺動体４の下面にはケース１の突起部１Ｄ，１Ｅよりやや幅広の中央の溝４Ｂとさらに幅広の両端の溝４Ｃが設けられている。
【０００５】
また、５は摺動体４の摺動方向と直交する押圧方向に押圧可能に摺動体４のロッド収納部４Ａに収納され、一端にケース１の開口部１Ａから突出する操作部５Ａを、他端にばね押圧部５Ｂを有するロッドであり、６は摺動体４の下面に装着され第１の固定接点２Ａ，２Ｂ，２Ｃと接離する弾性金属薄板製の第１の接触片、７はロッド５の下面に装着され第２の固定接点３Ａ，３Ｂと接離する弾性金属薄板製の第２の接触片である。
【０００６】
そして、８は左端がケース１の凹部１Ｂに右端が突起部１Ｄ及び摺動体４の溝４Ｂの左側面にも同時に当接しやや撓んだ状態で装着されたスライド操作用のコイルばね、９は同じく右端が凹部１Ｃに左端が突起部１Ｅ及び溝４Ｂの右側面にも同時に当接しやや撓んだ状態で装着されたスライド操作用のコイルばね、１０は一端がロッド５のばね押圧部５Ｂに他端が摺動体４のロッド収納部４Ａの内側壁凸部４Ｄに当接しやや撓んだ状態で装着されたプッシュ操作用のコイルばねであり、１１はケース１の上面を覆うカバーである。
【０００７】
上記構成において、ケース１から突出したロッド５の操作部５Ａを、図１０の中央位置から図１２（ａ）に示すように右方向へスライド操作すると、ロッド５を収納した摺動体４が右方向へ摺動するため、摺動体４の下面に装着された第１の接触片６が第１の固定接点上を弾接摺動し、第１の接触片６を介して第１の固定接点２Ｂと２Ｃとが電気的に導通する。
【０００８】
この時、摺動体４の下面中央の溝４Ｂの左側面がコイルばね８から離れ、溝４Ｂの右側面がコイルばね９を押圧して撓ませるため、操作部５Ａの操作力を解除すると、コイルばね９の弾性復帰力によって摺動体４とこれに収納されたロッド５が図１０の中央位置に復帰し、第１の接触片６は第１の固定接点２Ｃから離れ電気的にＯＦＦとなる。
【０００９】
これとは逆に、操作部５Ａを図１０の中央位置から左方向へスライド操作した場合には、摺動体４の溝４Ｂの右側面がコイルばね９から離れ、溝４Ｂの左側面がコイルばね８を押圧して撓ませながら摺動体４が左方向へ摺動するため、第１の接触片６を介して第１の固定接点２Ａと２Ｂが電気的に導通し、操作部５Ａの操作力を解除するとコイルばね８の弾性復帰力によって図１０の中央位置に復帰する。
【００１０】
また、操作部５Ａを図１０の中央位置からスライド方向と直交するプッシュ方向に押圧操作すると、図１２（ｂ）に示すように、ロッド５がばね押圧部５Ｂによってコイルばね１０を撓ませながら摺動体４のロッド収納部４Ａ内を移動するため、ロッド５の下面に装着された第２の接触片７がケース１の内底面上を弾接摺動して、第２の固定接点３Ａと３Ｂを電気的に導通させ、操作部５Ａの操作力を解除すると、コイルばね１０の弾性復帰力によってロッド５が図１０の押圧前の位置に復帰し、第２の接触片７が第２の固定接点３Ａと３Ｂから離れて電気的にＯＦＦとなる。
【００１１】
なお、プッシュ方向の操作については、図１２（ｃ）に示すように操作部５Ａが中央位置ではなく右方向へスライド操作され第１の固定接点２Ｂと２Ｃとが電気的に導通した状態からでも、操作部５Ａを押圧すれば、第２の接触片７を介した第２の固定接点３Ａと３Ｂの電気的導通を行うことができるように構成されていた。
【００１２】
【発明が解決しようとする課題】
しかしながら上記従来のプッシュ機構付スライドスイッチにおいては、中央位置から左右方向へスライド操作を行った後、操作部５Ａを中央位置に復帰させるためのスライド操作用のコイルばね８と９が各々別個に必要となるため、スイッチを構成する部品数が多くなると共に、この二つのばねをケース１や摺動体４に各々装着する際にばね外れが生じ易いため、スイッチの組立て作業が困難で時間を要するという課題があった。
【００１３】
本発明はこのような従来の課題を解決するものであり、構成部品数が少なくスイッチの組立て作業が容易で、安価なプッシュ機構付スライドスイッチを提供することを目的とするものである。
【００１４】
【課題を解決するための手段】
上記課題を解決するために本発明のプッシュ機構付スライドスイッチは、ケースに摺動可能に収納された摺動体にばね挿入部を設け、このばね挿入部に挿入した一つのスライド操作用のばねの両端をケースまたはカバーに設けた左右のリブにも各々同時に当接させると共に、ロッドのばね押圧部と摺動体のロッド収納部の内側壁の間にプッシュ操作用のばねの両端を装着するように構成したものである。
【００１５】
この本発明により、構成部品数が少なくスイッチの組立て作業が容易で、しかも安価なプッシュ機構付スライドスイッチを得ることができる。
【００１６】
【発明の実施の形態】
本発明の請求項１に記載の発明は、側壁の一部に開口部を有し内底面に複数の固定接点を植設した上面開放の箱形のケースと、このケース内に摺動可能に収納され上面にロッド収納部を有する摺動体と、この摺動体の摺動方向と直交する押圧方向に押圧可能にロッド収納部に収納され、一端に上記ケースの開口部から突出する操作部を他端にばね押圧部を有するロッドと、上記摺動体またはロッドの少なくとも一方の下面に装着され上記固定接点と接離する弾性金属薄板製の接触片と、上記摺動体に設けたばね挿入部に摺動方向にやや撓んだ状態で挿入され、両端がケースまたはカバーに設けた左右のリブにも各々同時に当接したスライド操作用のばねと、一端がロッドのばね押圧部に他端が摺動体のロッド収納部の内側壁に押圧方向にやや撓んだ状態で装着されたプッシュ操作用のばねと、ケースの上面を覆うカバーからなり、上記ロッドの上面または下面に突部を設けると共に、上記ロッドを押圧した際にこの突部が挿入される切欠き部を上記カバーまたはケースの所定の位置に設けたプッシュ機構付スライドスイッチとしたものであり、スライド操作用のばねを摺動体のばね挿入部に挿入すると共に両端をケースまたはカバーの左右のリブにも各々当接させるように構成しているため、スライド操作用のばねが一つですみ、またばね組込みの際のばね外れも生じない、構成部品数が少なくスイッチの組立て作業が容易で安価なプッシュ機構付スライドスイッチを得ることができるという作用を有する。
さらに、カバーまたはケースの切欠き部にロッドの突部が挿入される位置以外ではロッドの押圧が不可能となるため、スイッチの使用される条件に合わせてロッドの押圧位置が任意に選択できると共に、スライド操作の際に誤ってプッシュ操作を行うという誤操作も防止できるという作用を有する。
【００１７】
請求項２に記載の発明は、請求項１記載の発明において、ケース内底面に摺動体の摺動方向と平行に複数の第１の固定接点と第２の固定接点を植設すると共に、摺動体の下面に第１の固定接点と接離する第１の接触片を、ロッドの下面に第２の固定接点と接離する第２の接触片を装着し、スライド操作用のばねを摺動体の下面に設けたばね挿入部に挿入すると共に両端をケースのリブにも同時に当接させたもので、あらかじめ下面のばね挿入部にスライド操作用のばねを挿入した摺動体を、ばねの両端がリブに当接するようにしてケースに収納することで、スイッチの組立て作業がさらに容易となり、スイッチの自動組立化を図ることができるという作用を有する。
【００１８】
請求項３に記載の発明は、請求項１記載の発明において、ケース内底面の開口部側に摺動体の摺動方向と平行に第１の固定接点を植設すると共に、ケース内底面の中央部に第２の固定接点を植設し、上記第１の固定接点上方のロッド下面に接触片を装着したもので、一つの接触片で第１の固定接点及び第２の固定接点との電気的接離を行うことができるため、構成部品数をさらに削減できると共に、スイッチの構成も簡素なものとなり組立て作業性が向上できるという作用を有する。
【００２０】
以下、本発明の実施の形態について、図１〜図８を用いて説明する。
なお、従来の技術の項で説明した構成と同一構成の部分には同一符号を付して、その詳細な説明を省略する。
【００２１】
（実施の形態１）
図１は本発明の第１の実施の形態によるプッシュ機構付スライドスイッチのカバーを除いた平面図、図２は同分解斜視図である。
【００２２】
同図において、内底面に第１の固定接点２Ａ，２Ｂ，２Ｃと第２の固定接点３Ａ，３Ｂを植設したケース１内に、下面に第１の接触片６を装着した摺動体４が摺動可能に収納され、下面に第２の接触片７を装着したロッド５がロッド収納部４Ａに摺動体４の摺動方向と直交する押圧方向に押圧可能に収納されると共に、ロッド５のばね押圧部５Ｂと摺動体４のロッド収納部４Ａの内側壁凸部４Ｄの間にプッシュ操作用のコイルばね１０が装着され、カバー１１がケース１の上面を覆っていることは従来の技術と同様であるが、摺動体４の下面には摺動方向にばね挿入部４Ｅが設けられている。
【００２３】
また、ケース１の内底面には左右にリブ１Ｆと１Ｇが設けられ、スライド操作用のコイルばね１２が摺動体４のばね挿入部４Ｅ内に摺動方向にやや撓んだ状態で挿入されると共に、両端がケース１の左右のリブ１Ｆと１Ｇにも各々同時に当接している。
【００２４】
上記構成において、ケース１の開口部１Ａから突出したロッド５の操作部５Ａを、図１の中央位置から図３（ａ）に示すように右方向へスライド操作すると、ロッド５をロッド収納部４Ａに収納した摺動体４が右方向へ摺動するため、摺動体４の下面に装着された第１の接触片６が第１の固定接点上を弾接摺動し、第１の接触片６を介して第１の固定接点２Ｂと２Ｃが電気的に導通することは従来の技術と同様であるが、この時スライド操作用のコイルばね１２は、左端がケース１の左のリブ１Ｆから離れて摺動体４のばね挿入部４Ｅの左内側面にのみ当接し、また右端はばね挿入部４Ｅの右内側面から離れてリブ１Ｇにのみ当接して撓められる。
【００２５】
そして、操作部５Ａの操作力を解除すると、摺動体４のばね挿入部４Ｅの左内側面とケース１のリブ１Ｇとの間で撓められたコイルばね１２の弾性復帰力によって、摺動体４とこれに収納されたロッド５が図１の中央位置に復帰する。
【００２６】
これとは逆に、操作部５Ａを図１の中央位置から左方向へスライド操作した場合には、コイルばね１２の左端は摺動体４のばね挿入部４Ｅの左内側面から離れてケース１の左のリブ１Ｆにのみ当接し、また右端はリブ１Ｇから離れてばね挿入部４Ｅの右内側面にのみ当接して撓められ、操作部５Ａの操作力を解除すると、左のリブ１Ｆとばね挿入部４Ｅの右内側面の間で撓められたコイルばね１２の弾性復帰力によって、摺動体４とロッド５が図１の中央位置に復帰する。
【００２７】
なお、操作部５Ａを図１の中央位置からプッシュ操作すると、図３（ｂ）に示すように、ロッド５がばね押圧部５Ｂによってプッシュ操作用のコイルばね１０を撓ませながらロッド収納部４Ａ内を移動するため、ロッド５の下面に装着された第２の接触片７が第２の固定接点３Ａと３Ｂを電気的に導通させ、操作部５Ａの操作力を解除すると、コイルばね１０の弾性復帰力によって操作部５Ａが図１の押圧前の位置に復帰することや、操作部５Ａが中央位置ではない図３（ｃ）の状態からでも、操作部５Ａを押圧すれば、第２の接触片７を介した第２の固定接点３Ａと３Ｂの電気的導通が行われることは従来の技術と同様である。
【００２８】
このように本実施の形態によれば、スライド操作用のコイルばね１２を摺動体４のばね挿入部４Ｅに挿入すると共に両端をケース１に設けた左右のリブ１Ｆと１Ｇにも各々同時に当接させるように構成しているため、スライド操作用のばねが一つですみ、またスイッチ組立ての際には、コイルばね１２を摺動体４のばね挿入部４Ｅに一旦挿入した後組立てを行うことで、ばね組込み時のばね外れも生じない、構成部品数が少なくスイッチの組立て作業が容易で安価なプッシュ機構付スライドスイッチを得ることができる。
【００２９】
また、ばね挿入部４Ｅを摺動体４の下面に設けると共に、ケース１の内底面にリブ１Ｆと１Ｇを設けているため、あらかじめばね挿入部４Ｅにスライド操作用のコイルばね１２を挿入した摺動体４を、コイルばね１２の両端がケース１のリブ１Ｆと１Ｇに当接するようにしてケース１に組込みを行うことで、ケース１を基にして各部品を積上げ式に組立てることができるため、容易にスイッチの自動組立化を図ることができる。
【００３０】
なお、上記の説明では、摺動体４下面に設けたばね挿入部４Ｅ内に挿入されたスライド操作用のコイルばね１２の両端を、ケース１の内底面に設けた左右のリブ１Ｆと１Ｇにも各々同時に当接させる構成としたが、図４に示すように、摺動体４のばね挿入部４Ｅの上面両端に溝４Ｆを設けると共に、カバー１１の下面に左右のリブ１１Ａと１１Ｂを設け、ばね挿入部４Ｅに挿入されたコイルばね１２の両端をこのリブ１１Ａと１１Ｂにも各々同時に当接させる構成としても同様の効果を得ることができる。
【００３１】
（実施の形態２）
図５は本発明の第２の実施の形態によるプッシュ機構付スライドスイッチのカバーを除いた平面図であり、同図において、ケース１内に摺動可能に収納された摺動体４下面のばね挿入部４Ｅにスライド操作用のコイルばね１２が挿入されると共に、このコイルばね１２の両端がケース１内底面に設けた左右のリブ１Ｆと１Ｇにも各々同時に当接し、ロッド５が摺動体４のロッド収納部４Ａに押圧可能に収納されていることは実施の形態１と同様であるが、第１の固定接点２Ａ，２Ｂ，２Ｃがケース１内底面の開口部１Ａ側に、第２の固定接点３Ａ，３Ｂがケース１内底面の中央部に各々摺動体４の摺動方向と平行に植設され、また、第２の接触片７が第１の固定接点２Ｂに弾接してロッド５の下面に装着されている。
【００３２】
上記構成において、ケース１の開口部１Ａから突出したロッド５の操作部５Ａを、図５（ａ）の中央位置から図５（ｂ）に示すように右方向へスライド操作すると、ロッド５をロッド収納部４Ａに収納した摺動体４が右方向へ摺動し、スライド操作用のコイルばね１２は、左端がケース１の左のリブ１Ｆから離れて摺動体４のばね挿入部４Ｅの左内側面にのみ当接し、また右端がばね挿入部４Ｅの右内側面から離れてリブ１Ｇにのみ当接して撓められることは実施の形態１と同様であるが、ロッド５の摺動に伴ってこの下面に装着された第２の接触片７が、ケース１内底面の開口部１Ａ側に植設された第１の固定接点上を弾接摺動することによって、第２の接触片７を介して第１の固定接点２Ｂと２Ｃの電気的導通が行われ、操作部５Ａの操作力を解除すると、摺動体４のばね挿入部４Ｅの左内側面とケース１のリブ１Ｇとの間で撓められたコイルばね１２の弾性復帰力によって、図５（ａ）の中央位置に復帰する。
【００３３】
これとは逆に、操作部５Ａを図５（ａ）の中央位置から左方向へスライド操作させた場合には、コイルばね１２が左端をケース１の左のリブ１Ｆに、右端を摺動体４のばね挿入部４Ｅの右内側面にのみ当接して撓められると共に、第２の接触片７を介して第１の固定接点２Ａと２Ｂの電気的導通が行われる。
【００３４】
また、操作部５Ａを図５（ａ）の中央位置からプッシュ操作すると、図５（ｃ）に示すように、ロッド５がばね押圧部５Ｂによってプッシュ操作用のコイルばね１０を撓ませながらロッド収納部４Ａ内を移動するため、ロッド５の下面に装着された第２の接触片７がケース１の内底面を移動し、ケース１内底面の中央部に植設された第２の固定接点３Ａと３Ｂを電気的に導通させ、操作部５Ａの操作力を解除すると、コイルばね１０の弾性復帰力によって操作部５Ａが図５（ａ）の押圧前の位置に復帰する。
【００３５】
なお、操作部５Ａが中央位置ではない図５（ｄ）の状態からでも、操作部５Ａを押圧すれば、第２の接触片７を介して第２の固定接点３Ａと３Ｂの電気的導通が行われることは実施の形態１と同様である。
【００３６】
このように本実施の形態によれば、ケース１内底面の開口部１Ａ側に第１の固定接点２Ａ，２Ｂ，２Ｃを、ケース１内底面の中央部に第２の固定接点３Ａ，３Ｂを各々摺動体４の摺動方向と平行に植設することによって、摺動体４には接触片の装着が不要となり、ロッド５の下面に装着した第２の接触片７のみによって、第１の固定接点２Ａ，２Ｂ，２Ｃ及び第２の固定接点３Ａ，３Ｂの電気的接離を行うことができるため、構成部品数が削減できると共にスイッチの構成も簡素なものとなり、また、スイッチ組立て作業時に変形の生じ易い接触片が一つですむため、スイッチ組立て作業性の向上を図ることができる。
【００３７】
（実施の形態３）
図６は本発明の第３の実施の形態によるプッシュ機構付スライドスイッチのカバーとロッドの分解斜視図であり、同図において、ロッド５の操作部５Ａの上面には突部５Ｃが設けられ、カバー１１の端面中央部にはこの突部５Ｃよりもやや幅広の切欠き部１１Ｃが設けられている。
【００３８】
上記構成のカバー１１とロッド５をスイッチとして組立て、ケースから突出するロッド５の操作部５Ａを操作した場合、中央位置から左右方向へのスライド操作については実施の形態１や２と同様であるが、このスライド方向と直交するプッシュ方向の操作については、中央位置では操作部５Ａを押圧するとロッド５の移動に伴って突部５Ｃがカバー１１の切欠き部１１Ｃに挿入されるため、プッシュ操作が可能であるが、中央位置以外の左右いずれかに操作部５Ａをスライド操作した位置では、操作部５Ａを押圧しても突部５Ｃがカバー１１端面に当たるため、操作部５Ａをプッシュ操作できない構成となっている。
【００３９】
また、図７と図８はロッドとケースの分解斜視図であり、図７においては、ロッド５の操作部５Ａの下面に突部５Ｄが、ケース１の開口部１Ａの中央部に切欠き部１Ｈが各々設けられ、図８においては、ロッド５の下面に突部５Ｅが、ケース１の内底面のリブ１Ｊの中央部に切欠き部１Ｋが各々設けられており、同じく中央位置以外ではプッシュ方向に操作できない構成となっている。
【００４０】
なお、上記の説明では、ロッド５の中心に各々突部５Ｃ，５Ｄ，５Ｅを設け、カバー１１またはケース１の中央部にこの突部５Ｃ，５Ｄ，５Ｅが挿入される切欠き部１１Ｃ，１Ｈ，１Ｋを設けることで、中央位置以外ではプッシュ方向に操作できない構成としたが、切欠き部１１Ｃ，１Ｈ，１Ｋを任意の位置に設けることによって、中央位置以外の左右いずれの位置でもプッシュ位置に操作できない構成とすることができる。
【００４１】
このように本実施の形態によれば、ロッド５の上面または下面に突部５Ｃ，５Ｄ，５Ｅを設けると共に、ロッド５を押圧した際にこの突部５Ｃ，５Ｄ，５Ｅが挿入される切欠き部１１Ｃ，１Ｈ，１Ｋをカバー１１またはケース１の所定の位置に設けることによって、カバー１１またはケース１の切欠き部にロッドの突部を挿入できる位置のみでロッドのプッシュ操作が可能となるように構成できるため、スイッチの使用される条件に合わせてロッドの押圧位置が任意に選択できると共に、スライド操作の際に誤ってプッシュ操作を行うという誤操作も防止することができる。
【００４２】
【発明の効果】
以上のように本発明によれば、構成部品数が少なくスイッチの組立て作業が容易で、しかも安価なプッシュ機構付スライドスイッチを得ることができるという有利な効果が得られる。
【図面の簡単な説明】
【図１】本発明の第１の実施の形態によるプッシュ機構付スライドスイッチのカバーを除いた平面図
【図２】同分解斜視図
【図３】同カバーを除いた平面図
【図４】同カバーと摺動体の分解斜視図
【図５】本発明の第２の実施の形態によるプッシュ機構付スライドスイッチのカバーを除いた平面図
【図６】本発明の第３の実施の形態によるプッシュ機構付スライドスイッチのカバーとロッドの分解斜視図
【図７】同ロッドとケースの分解斜視図
【図８】同ロッドとケースの分解斜視図
【図９】従来のプッシュ機構付スライドスイッチの外観斜視図
【図１０】同カバーを除いた平面図
【図１１】同分解斜視図
【図１２】同カバーを除いた平面図
【符号の説明】
１  ケース
１Ａ  開口部
１Ｆ，１Ｇ  リブ
１Ｈ，１Ｋ  切欠き部
１Ｊ  リブ
２Ａ，２Ｂ，２Ｃ  第１の固定接点
３Ａ，３Ｂ  第２の固定接点
４  摺動体
４Ａ  ロッド収納部
４Ｄ  内側壁凸部
４Ｅ  ばね挿入部
４Ｆ  溝
５  ロッド
５Ａ  操作部
５Ｂ  ばね押圧部
５Ｃ，５Ｄ，５Ｅ  突部
６  第１の接触片
７  第２の接触片
１０  コイルばね
１１  カバー
１１Ａ，１１Ｂ  リブ
１１Ｃ  切欠き部
１２  コイルばね
【図１】
0003882251.tif 000002
【図２】
0003882251.tif 000003
【図３】
0003882251.tif 000004
【図４】
0003882251.tif 000005
【図５】
0003882251.tif 000006
【図６】
0003882251.tif 000007
【図７】
0003882251.tif 000008
【図８】
0003882251.tif 000009
【図９】
0003882251.tif 000010
【図１０】
0003882251.tif 000011
【図１１】
0003882251.tif 000012
【図１２】
0003882251.tif 000013